(57)【特許請求の範囲】
【請求項１】
速度変動を伴いつつ一定方向に走行するＶリブドベルトと係合する複数条のＶ溝を外周面に有する樹脂製プーリにおいて、
前記各Ｖ溝の側面に、前記Ｖリブドベルトの速度増加時にはこのベルトの滑りを防止し、前記Ｖリブドベルトの速度減少時にはこのベルトの走行方向の逆方向への滑りを許容する形状の非連続突起が、周方向に複数形成されていることを特徴とする樹脂製プーリ。
【発明の詳細な説明】
【０００１】
【発明の属する技術分野】
本発明は、例えば自動車用エンジンにおける補機類の回転軸に取り付けられた従動プーリ等、無端ベルトを掛け渡した動力伝達機構に用いられる合成樹脂製プーリに関する。
【０００２】
【従来の技術】
車両用エンジンのカムシャフトや補機類は、このエンジンのクランクシャフトの端部に固定した駆動プーリと、これらカムシャフトや補機類の回転軸端部に固定した従動プーリとの間にＶリブドベルト（無端ベルト）を掛け渡し、このベルトの走行による動力伝達によって回転駆動されている。
【０００３】
上記エンジンは、爆発工程時のみに駆動エネルギーを発生し、他の工程では駆動力を発揮しないため、その駆動源としてのクランクシャフトには、その回転中常に角速度の微小変動が生じている。このため、通常のエンジンにおけるクランクシャフトには、フライホイール等を取り付けることにより慣性力を大きくして、スムースランニングに近づける手段が採用されている。しかしながら、この手段によっても、クランクシャフトの角速度変動を完全に抑制することは難しく、ガソリンエンジンで最大１．５〜２．０度程度、ディーゼルエンジンで最大６〜８度程度の角速度変動が生じてしまう。また同時に、各プーリ間に掛け渡された無端ベルトの速度も変動することとなる。
【０００４】
一方、エンジンに備えられたオルタネータ等の補機類は、一定速度で駆動する方が効率が良いことから、前述のクランクシャフトの角速度変動を吸収するために、補機類の回転軸とこの回転軸に支持された従動プーリとの間には、一方向クラッチ等の角速度変動吸収手段が設けられている。この角速度変動吸収手段は、クランクシャフトの角速度増加時にはプーリのトルクを補機類の回転軸に伝達し、クランクシャフトの角速度減少時に、補機類の慣性により回転軸の回転がプーリより早くなった場合には、一方向クラッチ等の係合を解除させて、補機類の回転が略一定速度となるように構成されている（例えば、特許文献１あるいは特許文献２等を参照。）。
【０００５】
【特許文献１】
特公平７−７２５８５号公報
【特許文献２】
特開２００１−３０４３８１号公報
【０００６】
【発明が解決しようとする課題】
ところで、以上のような樹脂製プーリにおいては、角速度が変動するクランクシャフト（駆動プーリ）を駆動源として、略一定速度で回転しようとするオルタネータ等の補機類を駆動しようとするために、これら補機類の回転軸に設けられた従動プーリとＶリブドベルト（無端ベルト）との間で微小な滑り（スリップ）が生じ、この従動プーリ前後のＶリブドベルトに局所的な伸び縮みが発生している。
【０００７】
また、自動車用のエンジンの分野においては、エンジンの出力向上あるいはディーゼル化によって、このようなプーリを用いた動力伝達機構の伝達効率向上が課題となっている。そのため、クランクシャフトの角速度変動に起因するＶリブドベルトのスリップを更に低減すべく、近年、各プーリ間のベルト張力を高める対策が施されてきている。
【０００８】
ところが、Ｖリブドベルトには、スリップを防止するためにその張力を高めることと相反して、前述の局所的な伸び縮みに対応する余力（弾性）が減少し、寿命が低下してしまうという問題があった。また、ベルトの張力を上げることは、樹脂製プーリ自身にも高剛性化等の対応が要求される上、このプーリと補機類との間に介在配置される転がり軸受や一方向クラッチ等も対応をとる必要があり、全体としてのコスト上昇の要因ともなってしまう。
【０００９】
本発明は、このような実情に鑑みてなされたものであり、掛け渡されるＶリブドベルトの張力が低くても駆動力の伝達効率が高く、このベルトの寿命を低下させることのない樹脂製プーリを提供することを目的としている。
【００１０】
【課題を解決するための手段】
前記の目的を達成するために、本発明は、速度変動を伴いつつ一定方向に走行するＶリブドベルトと係合する複数条のＶ溝を外周面に有する樹脂製プーリにおいて、前記各Ｖ溝の側面に、前記Ｖリブドベルトの速度増加時にはこのベルトの滑りを防止し、前記Ｖリブドベルトの速度減少時にはこのベルトの走行方向の逆方向への滑りを許容する形状の非連続突起が、周方向に複数形成されていることを特徴とする。
【００１１】
【００１２】
本発明は、Ｖリブドベルトを掛け渡した動力伝達機構に用いられる合成樹脂製プーリにおいて、Ｖリブドベルトとの係合面となるプーリ外周面のＶ溝（Ｖリブ）の側面に、このベルトの周方向の滑りを防止する突起を設けることにより、所期の目的を達成しようとするものである。
【００１３】
すなわち、請求項１に記載の発明によれば、樹脂製プーリ外周面のＶ溝側面に、周方向に非連続な形状で、かつ、Ｖリブドベルトがこのベルトの走行方向と逆方向にのみスリップする形状の突起を形成することにより、一方向クラッチの原理と同様に、Ｖリブドベルトの加速時には、トルクを確実に伝達して伝達効率を向上させ、Ｖリブドベルトの減速時には、このベルトとＶ溝との間の微小な滑りによって、Ｖリブドベルトが走行方向と逆方向に引っ張られるのを防止することができる。また、この構成により、Ｖリブドベルトの張力を高く設定しなくても、Ｖリブドベルトの滑りが防止され、トルクが確実に伝達される。従って、本発明の樹脂製プーリは、Ｖリブドベルトの走行による駆動力の伝達効率が向上するとともに、Ｖリブドベルトの張力を従来に比べ低く設定できることで、ベルト自身の寿命を低下させることがない。
【００１４】
また、この樹脂製プーリは、Ｖリブドベルトが局所的に伸ばされたり縮んだりすることを緩和することで、このベルトの寿命を向上させる効果を奏することができる。
【００１５】
【発明の実施の形態】
以下、図面を参照しつつこの発明の実施の形態について説明する。
図１は、本発明の実施の形態における樹脂製プーリの構造を示す外観斜視図であり、図２は、この樹脂製プーリの外周面に形成されたＶ溝の拡大図である。
【００１６】
この樹脂製プーリは、図１に示すように、同心状に配置された外側円筒部１と、内側円筒部２と、これら外側円筒部１と内側円筒部２とを一体に連結する環状円板部３を主体として形成されている。また、この樹脂製プーリの外側円筒部外周面１ｘには、このプーリに掛け渡されるＶリブドベルト（図示省略）と係合する複数のＶ溝（ポリＶ溝）１ｖ，１ｖ，・・・が形成されているとともに、環状円板部３の両端面には、このプーリの径方向に沿って外側円筒部１と内側円筒部２とを連結する複数の放射状補強リブ４，４，・・・が形成されている。
【００１７】
なお、この樹脂製プーリの内側円筒部（ボス部）２とこのプーリを支持する軸（図示省略）との間には、ベルトの走行方向にのみ係合してトルクを伝達する一方向クラッチと、玉軸受等の転がり軸受が介在配置されている。また、この樹脂製プーリを構成する合成樹脂材料は、特に限定されるものではないが、例えば、ポリアミド６樹脂、ポリアミド６−６樹脂、フェノール樹脂あるいはポリアセタール樹脂等を使用することができる。また、これらの合成樹脂には、必要に応じてガラス繊維等の強化繊維を混合しても良い。
【００１８】
本実施の形態における樹脂製プーリの特徴は、図２の拡大図に示すように、外側円筒部外周面１ｘの山部１ｓと谷部１ｔとの間に形成されたＶ溝１ｖの両側面１ｗ，１ｗに、その個々の形状が、このプーリの回転方向（すなわちＶリブドベルトの走行方向）の前側から後側にかけてプーリ側面から漸次盛り上がる三角錐状に形成された突起５ｂが、周方向に多数形成されている点である。
【００１９】
【００２０】
【００２１】
この形状によって、Ｖリブドベルトの速度増加時には、突起５ｂの後側に形成された突出部位が抵抗となり、このベルトの滑りが防止される。また逆に、Ｖリブドベルトの速度減少時には、突起５ｂ前側のテーパー部位が、ベルトの回転方向の逆方向への滑りを許容し、このベルトの樹脂製プーリ前後における局所的な伸縮を緩和することができる。
【００２２】
従って、本実施の形態における樹脂製プーリは、Ｖリブドベルトの張力を高めに設定しなくとも、このベルトの走行による駆動力の伝達効率を向上させることができる。また、この樹脂製プーリは、Ｖリブドベルトの張力を従来に比べ低く設定できることに加え、クランクシャフトの角速度変動に起因するベルトの局所的な伸縮を緩和することができ、もってＶリブドベルトの寿命を伸ばす効果を奏することができる。
【００２３】
なお、以上実施の形態においては、プーリの周方向に方向性を持つ非連続突起の形状例を、１つ示したが、突起の形状はこの例に限定されるものではない。例えば、ベルトの速度増加時にはベルトの滑りを防止し、ベルトの速度減少時にはベルトの滑りを許容する、方向性を持った突起の形状例として、本実施の形態におけるプーリ側面から漸次盛り上がる三角錐形状に代わって、図３の拡大図に示すような、周方向に対して傾斜した台形状突起５ｃを形成しても良い。
【００２４】
【発明の効果】
以上詳述したように、本発明の樹脂製プーリによれば、Ｖリブドベルトの張力を高めに設定しなくとも、エンジンのクランクシャフトの角速度変動に起因するＶリブドベルトとＶ溝の間の滑りが抑制され、トルクを確実に伝達することができる。また、Ｖリブドベルトの張力を従来に比べ低く設定できることで、ベルト自身の寿命の低下を防止することができる。
【図面の簡単な説明】
【図１】  本発明の実施の形態における樹脂製プーリの外観斜視図である。
【図２】  本発明の実施の形態の樹脂製プーリにおけるＶ溝１ｖの拡大図である。
【図３】  本発明の実施の形態の樹脂製プーリにおいてＶ溝１ｖの側面１ｗに形成された突起の別の形状例を示す拡大図である。
【符号の説明】
１  外側円筒部
１ｓ  山部
１ｔ  谷部
１ｖ  Ｖ溝
１ｗ  Ｖ溝側面
１ｘ  外周面
２  内側円筒部
２ｙ  内周面
３  環状円板部
４  補強リブ
５ｂ，５ｃ  突起
【図１】
0004139962.tif 000002
【図２】
0004139962.tif 000003
【図３】
0004139962.tif 000004